(57)【要約】【課題】本発明は無瞬断切替機能の追加が可能な無駄の少ないスイッチ装置及びクロスコネクトシステムを提供することを目的とする。【解決手段】スイッチボード１２と３種類のインタフェースボードの２つを搭載可能なバックボード１１とを設け、バックボード１１を介してスイッチボード１２と２つのインタフェースボードのコネクタＣｉｆを接続する。スイッチボード１２にはバックボードと接続する２つのコネクタＣｓｗ１，Ｃｓｗ２と装置間の中継に利用する２つのコネクタＣａ，Ｃｂとクロスポイントスイッチを設ける。第１のインタフェースボードには外部回線と接続するためのコネクタと信号変換部とを設け、第２のインタフェースボードには無瞬断切替部を設け、第３のインタフェースボードには、装置間を接続するためのコネクタと信号変換部とを設け、複数のスイッチ装置を組み合わせてクロスコネクトシステムを構成できるようにした。【選択図】      図１
2004253957.tif 000002
【特許請求の範囲】
【請求項１】
使用する通信回線の切替を行うためのスイッチ装置において、
スイッチボードと、インタフェースボードと、拡張インタフェースボードと、それらを搭載可能なバックボードとを設けるとともに、
前記スイッチボードには、１個以上の端子からなるポートをＭ（Ｍ≧３）個有する第１の接続部と、１個以上の端子からなるポートをＭ個有する第２の接続部と、１個以上の端子からなるポートをＮ（Ｎ≧Ｍ）個有する第３の接続部と、１個以上の端子からなるポートをＮ個有する第４の接続部と、前記第１の接続部，第２の接続部，第３の接続部及び第４の接続部の間の通信に利用される回線を切り替えるクロスポイントスイッチと、前記クロスポイントスイッチの状態を制御するスイッチ制御部とを設け、
前記インタフェースボード及び拡張インタフェースボードには、１個以上の端子からなるポートをＭ個有する第５の接続部を設け、
前記インタフェースボードの第５の接続部と前記スイッチボードの第１の接続部とを前記バックボードを介して接続し、
前記拡張インタフェースボードの第５の接続部と前記スイッチボードの第２の接続部とを前記バックボードを介して接続し、
前記インタフェースボード及び拡張インタフェースボードとして利用可能な第１のインタフェースボード，第２のインタフェースボード及び第３のインタフェースボードの３種類を用意し、
前記第１のインタフェースボードには、前記第５の接続部以外に、Ｍ個の外部通信回線と接続可能な第６の接続部と、前記外部通信回線と前記第５の接続部との間で通信するための信号変換を行う第１の信号変換部とを設け、
前記第２のインタフェースボードには、前記第５の接続部以外に、前記第５の接続部の第１のポートから入力される信号を分岐して前記第５の接続部の第２のポート及び第３のポートに出力し、前記第５の接続部の第２のポート及び第３のポートから入力される信号を無瞬断に切り替えて前記第５の接続部の第１のポートに出力する無瞬断切替部を設け、
前記第３のインタフェースボードには、前記第５の接続部以外に、１個以上の端子からなるポートをＭ個有する第７の接続部と、前記第５の接続部と第７の接続部との間で通信するための信号変換を行う第２の信号変換部とを設け、
１つの装置の前記第３の接続部と他の装置の第４の接続部とを接続可能に構成し、１つの装置の前記第７の接続部と他の装置の第７の接続部とを接続可能に構成したことを特徴とするスイッチ装置。
【請求項２】
請求項１のスイッチ装置において、前記スイッチボードのスイッチ制御部は、装置外部からの制御信号に従って前記クロスポイントスイッチの状態を制御することを特徴とするスイッチ装置。
【請求項３】
請求項１のスイッチ装置を複数配置して構成したクロスコネクトシステムであって、少なくとも１つのスイッチ装置には前記第１のインタフェースボード及び第３のインタフェースボードを搭載し、少なくとももう１つのスイッチ装置には前記第３のインタフェースボードを２つ搭載したことを特徴とするクロスコネクトシステム。
【発明の詳細な説明】
【０００１】
【発明の属する技術分野】
本発明は、パケット通信システムのような通信装置を構成する場合に通信経路を切り替えるために用いられるスイッチ装置及びクロスコネクトシステムに関する。
【０００２】
【従来の技術】
本発明と関連のある従来技術は、例えば特許文献１に開示されている。
パケットなどの形態でディジタル信号を伝送する通信システムにおいては、伝送路に不具合が発生したり、通信装置自体に故障が発生する可能性がある。このようなトラブルが発生した場合であっても、重要な通信は継続する必要がある。
従って、従来より予め使用する伝送路や通信装置に予備を用意しておき、トラブルが発生した場合や保守作業を行うような場合には系を予備に切り替えるように操作している。
【０００３】
また、通常は切替元の系「０」を通る信号と切替先の系「１」を通る信号との間には位相差が生じるため、切替の際に通信に瞬断が発生する。このような瞬断の発生をなくするために、従来より、増設パッケージと呼ばれる回路基板を用いて、切替元の系「０」を通る信号と切替先の系「１」を通る信号との位相差を検出し、検出した位相差を打ち消すための遅延を発生して切替時の瞬断を防止するようにしている。
【０００４】
しかし、オプション機能として通信システムの稼働後に増設パッケージの機能を追加する場合には、特許文献１に示されているように、増設パッケージの追加の際や位相合わせの実行中に瞬断が発生する可能性がある。
そこで、特許文献１の技術では、発生する瞬断の回数を減らすことができるようにシステムを構成している。
【特許文献１】
特開平８−２２３１４５号公報
【０００５】
【発明が解決しようとする課題】
しかしながら、従来の技術ではオプション機能である無瞬断切替機能の追加や削除を行う場合には、接続ケーブルの張り替えやパッケージの抜き差しが必要であり、これらの作業は手作業で行われているのが実情である。
【０００６】
このため、作業者の操作ミスが発生する可能性があり、それによって通信システムの故障や通信障害が発生する可能性があった。また、それが通信システムの運用コスト増大の原因になっている。
また、従来の技術では無瞬断切替機能の追加や削除を行う場合に作業に時間がかかるのは避けられなかった。従って、顧客からの無瞬断切替機能の追加や削除の要求に対して即座に対応することはできなかった。
【０００７】
また、信号が通るポート毎に無瞬断切替機能を実現する増設パッケージの実装ができるように構成しておく必要があり、無瞬断切替機能を必要としない場合であっても増設パッケージを実装するための空間を設ける必要があり、必要以上に装置のサイズが大きくなっていた。
多数のポート間の接続状態を切り替える装置として、クロスコネクト装置が知られている。このクロスコネクト装置と無瞬断切替装置とを組み合わせるようにシステムを構成すれば、無瞬断切替機能の追加・削除と、無瞬断切替のためのハードウェアの追加・削除とを分離することができ、上記のような課題を克服できる。
【０００８】
しかしながら、このようなシステムにおいて、ユーザからの無瞬断切替機能の追加要求に確実に応じるためには、クロスコネクト装置に設けられた多数のポートのうち半分を、無瞬断切替装置との接続のために予め割り当てておく必要がある。
従って、実際に無瞬断切替機能を利用するポートの割合が小さい場合には、無瞬断切替装置との接続のために割り当てられているクロスコネクト装置の多数のポートの大半が未使用のままとなり、大きな無駄が生じる。これによって装置コストが増大する。
【０００９】
本発明は、無瞬断切替機能の追加が可能な無駄の少ないスイッチ装置及びクロスコネクトシステムを提供することを目的とする。
【００１０】
【課題を解決するための手段】
請求項１は、使用する通信回線の切替を行うためのスイッチ装置において、スイッチボードと、インタフェースボードと、拡張インタフェースボードと、それらを搭載可能なバックボードとを設けるとともに、前記スイッチボードには、１個以上の端子からなるポートをＭ（Ｍ≧３）個有する第１の接続部と、１個以上の端子からなるポートをＭ個有する第２の接続部と、１個以上の端子からなるポートをＮ（Ｎ≧Ｍ）個有する第３の接続部と、１個以上の端子からなるポートをＮ個有する第４の接続部と、前記第１の接続部，第２の接続部，第３の接続部及び第４の接続部の間の通信に利用される回線を切り替えるクロスポイントスイッチと、前記クロスポイントスイッチの状態を制御するスイッチ制御部とを設け、前記インタフェースボード及び拡張インタフェースボードには、１個以上の端子からなるポートをＭ個有する第５の接続部を設け、前記インタフェースボードの第５の接続部と前記スイッチボードの第１の接続部とを前記バックボードを介して接続し、前記拡張インタフェースボードの第５の接続部と前記スイッチボードの第２の接続部とを前記バックボードを介して接続し、前記インタフェースボード及び拡張インタフェースボードとして利用可能な第１のインタフェースボード，第２のインタフェースボード及び第３のインタフェースボードの３種類を用意し、前記第１のインタフェースボードには、前記第５の接続部以外に、Ｍ個の外部通信回線と接続可能な第６の接続部と、前記外部通信回線と前記第５の接続部との間で通信するための信号変換を行う第１の信号変換部とを設け、前記第２のインタフェースボードには、前記第５の接続部以外に、前記第５の接続部の第１のポートから入力される信号を分岐して前記第５の接続部の第２のポート及び第３のポートに出力し、前記第５の接続部の第２のポート及び第３のポートから入力される信号を無瞬断に切り替えて前記第５の接続部の第１のポートに出力する無瞬断切替部を設け、前記第３のインタフェースボードには、前記第５の接続部以外に、１個以上の端子からなるポートをＭ個有する第７の接続部と、前記第５の接続部と第７の接続部との間で通信するための信号変換を行う第２の信号変換部とを設け、１つの装置の前記第３の接続部と他の装置の第４の接続部とを接続可能に構成し、１つの装置の前記第７の接続部と他の装置の第７の接続部とを接続可能に構成したことを特徴とする。
【００１１】
請求項１においては、前記インタフェースボード又は拡張インタフェースボードとして前記第１のインタフェースボードを搭載することにより、外部の伝送路との間で通信することが可能になる。
また、前記インタフェースボード又は拡張インタフェースボードとして前記第２のインタフェースボードを搭載することにより、無瞬断切替のためのハードウェアを追加することができる。
【００１２】
また、前記インタフェースボード又は拡張インタフェースボードとして前記第３のインタフェースボードを１つ又は２つ搭載することにより、複数のスイッチ装置の間で互いに通信することが可能になる。
また、複数のスイッチ装置を配置する場合には、一方のスイッチ装置におけるスイッチボードの第３の接続部又は第４の接続部と、他方のスイッチ装置におけるスイッチボードの第４の接続部又は第３の接続部とを互いに接続することにより、複数のクロスポイントスイッチを並べて互いに接続することになるので、用意したスイッチ装置の数を増やすのに伴って接続切替可能なポートの数を増やすことができる。
【００１３】
このため、単一のスイッチ装置が扱う信号のポート数を予め少なめに定めておき、必要に応じて使用するスイッチ装置の数を増やせば、実際にユーザが必要とする数のボートを用意することができ、利用されない無駄なポートの数を減らすことが可能になる。
請求項２は、請求項１のスイッチ装置において、前記スイッチボードのスイッチ制御部は、装置外部からの制御信号に従って前記クロスポイントスイッチの状態を制御することを特徴とする。
【００１４】
請求項２においては、外部から与える制御信号によりスイッチ装置内のクロスポイントスイッチの状態を制御することができる。このため、複数のスイッチ装置を用いてシステムを構成する場合には、使用するポート数に合わせて複数のスイッチ装置のクロスポイントスイッチを集中的に制御することができる。
請求項３は、請求項１のスイッチ装置を複数配置して構成したクロスコネクトシステムであって、少なくとも１つのスイッチ装置には前記第１のインタフェースボード及び第３のインタフェースボードを搭載し、少なくとももう１つのスイッチ装置には前記第３のインタフェースボードを２つ搭載したことを特徴とする。
【００１５】
請求項３においては、互いに種類の異なるインタフェースボードを搭載した複数のスイッチ装置を組み合わせることにより、使用するポート数の拡張が可能になる。
【００１６】
【発明の実施の形態】
本発明のスイッチ装置及びクロスコネクトシステムの１つの実施の形態について、図１〜図９を参照して説明する。この形態は全ての請求項に対応する。
【００１７】
図１はスイッチ装置の構成を示すブロック図である。図２はスイッチボードの構成例を示すブロック図である。図３は３種類のインタフェースボードの構成例を示すブロック図である。図４は無瞬断切替回路の構成例を示すブロック図である。
図５は実際のスイッチ装置の構成例を示すブロック図である。図６は実際のスイッチ装置の構成例を示すブロック図である。図７はクロスコネクトシステムの構成例を示すブロック図である。図８はクロスコネクトシステムの構成例を示すブロック図である。図９は通信ネットワークの構成例を示すブロック図である。
【００１８】
この形態では、請求項１のスイッチボード，インタフェースボード，拡張インタフェースボード，バックボード，第１の接続部，第２の接続部，第３の接続部，第４の接続部，クロスポイントスイッチ，スイッチ制御部，第５の接続部，第１のインタフェースボード，第２のインタフェースボード，第３のインタフェースボード，第６の接続部，第１の信号変換部，無瞬断切替部，第７の接続部及び第２の信号変換部は、それぞれスイッチボード１２，インタフェースボード１３，拡張インタフェースボード１４，装置内バックボード１１，コネクタＣｓｗ１，コネクタＣｓｗ２，コネクタＣａ，コネクタＣｂ，クロスポイントスイッチ２１，スイッチ制御部２２，コネクタＣｉｆ，インタフェースボード３１，インタフェースボード３２，インタフェースボード３３，コネクタＣｅｘｔ，外部信号変換回路３５，無瞬断切替回路３６，コネクタＣｉｎｔ及び装置間信号変換回路３７に相当する。
【００１９】
図１に示すように、この形態のスイッチ装置１０には装置内バックボード１１が備わっている。この装置内バックボード１１上にはスイッチボード１２，インタフェースボード１３及び拡張インタフェースボード１４を搭載するためのコネクタが備わっている。
スイッチボード１２には、信号の入出力に利用されるコネクタＣｓｗ１，Ｃｓｗ２，Ｃａ及びＣｂが備わっている。また、インタフェースボード１３及び拡張インタフェースボード１４には信号の入出力に利用されるコネクタＣｉｆが備わっている。
【００２０】
図１に示すようにスイッチボード１２，インタフェースボード１３及び拡張インタフェースボード１４を装置内バックボード１１に搭載した状態では、スイッチボード１２のコネクタＣｓｗ１の各端子は、装置内バックボード１１を介してインタフェースボード１３のコネクタＣｉｆの各端子と接続される。また、スイッチボード１２のコネクタＣｓｗ２の各端子は、装置内バックボード１１を介して拡張インタフェースボード１４のコネクタＣｉｆの各端子と接続される。
【００２１】
図２に示すように、スイッチボード１２にはコネクタＣｓｗ１，Ｃｓｗ２，Ｃａ，Ｃｂ，クロスポイントスイッチ２１及びスイッチ制御部２２が備わっている。  コネクタＣｓｗ１には、１個以上の端子からなるポートがＭ個（Ｍ≧３）備わっている。同様に、コネクタＣｓｗ２には１個以上の端子からなるポートがＭ個備わっている。
【００２２】
また、コネクタＣａには１個以上の端子からなるポートがＮ個（Ｎ≧Ｍ）備わっている。同様に、コネクタＣｂには１個以上の端子からなるポートがＮ個備わっている。
クロスポイントスイッチ２１は、外部から制御可能な多数のスイッチで構成されており、各コネクタＣｓｗ１，Ｃｓｗ２，Ｃａ，Ｃｂの各ポート間で信号経路の切替を行うことが可能である。
【００２３】
スイッチ制御部２２は、外部から入力されるスイッチ制御情報Ｓｃに従って、クロスポイントスイッチ２１の接続状態を切り替える。
図３に示す３種類のインタフェースボード３１，３２，３３は、いずれも装置内バックボード１１と接続可能な互いに同じ構成のコネクタＣｉｆを備えており、図１に示したインタフェースボード１３又は拡張インタフェースボード１４として利用することができる。
【００２４】
すなわち、図５に示すスイッチ装置１０（Ａ）のように、インタフェースボード３１及びインタフェースボード３３を装置内バックボード１１に搭載することもできるし、スイッチ装置１０（Ｂ）のように同じインタフェースボード３３を２枚同時に装置内バックボード１１に搭載することもできる。
また、図６に示すスイッチ装置１０（Ｃ）のように、インタフェースボード３２及びインタフェースボード３３を装置内バックボード１１に搭載することもできるし、スイッチ装置１０（Ｄ）のようにインタフェースボード３３を１枚だけ搭載し、拡張インタフェースボード１４の搭載を省略することもできる。
【００２５】
他のコネクタＣｓｗ１，Ｃｓｗ２と同様に、各コネクタＣｉｆには１個以上の端子からなるポートがＭ個備わっている。
図３に示すように、インタフェースボード３１はコネクタＣｉｆの他に、コネクタＣｅｘｔ及び外部信号変換回路３５を備えている。コネクタＣｅｘｔには、１個以上の端子からなるポートがＭ個備わっている。このコネクタＣｅｘｔは、装置外部の通信回線と接続するために設けられている。
【００２６】
外部信号変換回路３５は、コネクタＣｉｆを介して通信される信号と、コネクタＣｅｘｔを介して通信される信号との間の信号変換を行う。実際には、光信号−電気信号の相互変換，シリアル／パラレル変換，増幅，タイミング調整などの機能が外部信号変換回路３５に備わっている。
従って、インタフェースボード３１を搭載することにより、外部の伝送路とスイッチ装置１０との間で通信することが可能になる。
【００２７】
一方、インタフェースボード３２には、コネクタＣｉｆの他に無瞬断切替回路３６が備わっている。無瞬断切替回路３６は、コネクタＣｉｆを通る信号について信号の分岐及び無瞬断切替を行う。
例えば、図３に示すようにコネクタＣｉｆに３つのポートＰｘ，Ｐｙ，Ｐｚが備わっている場合を想定すると、無瞬断切替回路３６はポートＰｘから入力される信号を２つに分岐して２つのポートＰｙ，Ｐｚにそれぞれ出力すると共に、２つのポートＰｙ，Ｐｚからそれぞれ入力される信号を無瞬断で切り替えて何れか一方をポートＰｘに出力する。
【００２８】
実際の無瞬断切替回路３６は、図４に示すように送信部４０及び受信部５０を備えている。送信部４０には位相パターン挿入部４１及び信号分岐部４２が設けてあり、受信部５０にはＦＩＦＯバッファ５１（１），５１（２），位相パターン検出部５２（１），５２（２），位相差検出部５３及び切替部５４が設けてある。
位相パターン挿入部４１は、入力される信号に対して、位相差検出のための目印となる予め定めた位相パターンを周期的に挿入する。この例では、パケット信号が入力される場合を想定しているので、隣接する２つのパケットの間に位相パターンを挿入する。
【００２９】
位相パターンを挿入する時間間隔については、Ｔｍｉｎ以上、Ｔｍａｘ以下とする。Ｔｍｉｎは、最大遅延差（受信側で検出されうる遅延差の最大値）の２倍より大きい一定時間であり、Ｔｍａｘは予め定めた最大の時間（Ｔｍｉｎ＜Ｔｍａｘ）である。
実際には、ある時点で位相パターンを挿入してから、Ｔｍｉｎを経過した後、Ｔｍａｘを経過するまでの間に次の位相パターンを挿入する。
【００３０】
ポートＰｙから受信部５０に入力される信号は、ＦＩＦＯバッファ５１（１）を介して切替部５４に入力され、ポートＰｚから受信部５０に入力される信号は、ＦＩＦＯバッファ５１（２）を介して切替部５４に入力される。
【００３１】
位相パターン検出部５２（１）は、ポートＰｙから入力された信号に含まれる前記位相パターンのタイミングを検出し、位相パターン検出部５２（２）は、ポートＰｚから入力された信号に含まれる前記位相パターンのタイミングを検出する。
位相差検出部５３は、位相パターン検出部５２（１）が検出したタイミングと、位相パターン検出部５２（２）が検出したタイミングとの差を位相差として検出する。位相差検出部５３が検出した位相差に応じて、ＦＩＦＯバッファ５１（１）を通過する信号の遅延時間とＦＩＦＯバッファ５１（２）を通過する信号の遅延時間とが調整される。
【００３２】
このため、切替部５４の入力には互いに位相ずれのない状態で２つの信号が同時に入力される。従って、切替部５４は無瞬断で信号の切替を行うことができる。
一方、図３に示すインタフェースボード３３は、コネクタＣｉｆの他にコネクタＣｉｎｔ及び装置間信号変換回路３７を備えている。
コネクタＣｉｎｔには、１個以上の端子からなるポートがＭ個備わっている。このコネクタＣｉｎｔは、複数のスイッチ装置１０を組み合わせてクロスコネクトシステムを構成する場合に、複数のスイッチ装置１０を接続しそれらの間で通信するために利用される。
【００３３】
装置間信号変換回路３７は、コネクタＣｉｎｔを介して入出力される信号と、コネクタＣｉｆを介して入出力される信号との間で通信できるように、信号の変換処理を行う。実際には、光信号−電気信号の相互変換，シリアル／パラレル変換，増幅，タイミング調整などの機能が装置間信号変換回路３７に備わっている。
比較的規模の大きい通信システムにおいては、多数の通信回線や様々な通信装置を相互に接続し、必要に応じて通信経路を切り替える必要がある。従って、扱うべきポートの数が１台のスイッチ装置１０で扱えるポート数よりも多くなる。
【００３４】
そのような場合には、図７に示すように多数のスイッチ装置１０を組み合わせてクロスコネクトシステムを構成すればよい。すなわち、図１に示すスイッチ装置１０を複数用意してそれらを相互に接続することができるので、図７に示すようなクロスコネクトシステムを構成できる。
図７に示すクロスコネクトシステムにおいては、図５，図６に示す４種類のスイッチ装置１０（Ａ），１０（Ｂ），１０（Ｃ），１０（Ｄ）を（ｋ×ｎ）個組み合わせて、ｋ列，ｎ行に並べて隣接するスイッチ装置１０を互いにコネクタＣｉｎｔ，Ｃａ，Ｃｂを介して接続してある。
【００３５】
例えば、スイッチ装置１０（１，１）のコネクタＣａと縦方向に隣接するスイッチ装置１０（１，２）のコネクタＣｂとが所定の接続ケーブル（図示せず）で接続してあり、スイッチ装置１０（１，２）のコネクタＣａは隣接するスイッチ装置１０（１，３）のコネクタＣｂと接続ケーブルで接続してある。
また、スイッチ装置１０（１，１）のコネクタＣｉｎｔと横方向に隣接するスイッチ装置１０（２，１）の一方のコネクタＣｉｎｔとが所定の接続ケーブル（図示せず）で接続してあり、スイッチ装置１０（２，１）の他方のコネクタＣｉｎｔは、右隣のスイッチ装置１０（３，１）の一方のコネクタＣｉｎｔと接続ケーブルで接続してある。
【００３６】
また、スイッチ装置１０（Ａ）にはコネクタＣｅｘｔが備わっているので、外部の通信回線を１０（１，１），１０（１，２），・・，１０（１，ｎ−１），１０（１，ｎ）のそれぞれに接続することができる。
また、スイッチ装置１０（１，ｐ）は無瞬断切替のためのハードウェアを備えたインタフェースボード３２を搭載しているので、無瞬断切替の機能を実現することもできる。
【００３７】
システム制御装置６０は、（ｋ×ｎ）個のスイッチ装置１０のそれぞれのコネクタＣｃに対してスイッチ制御情報Ｓｃを与える。これにより、（ｋ×ｎ）個のスイッチ装置１０に備わったクロスポイントスイッチ２１の状態を集中的に制御することができる。
【００３８】
実際には、図７に示すクロスコネクトシステムにおいては、システム制御装置６０の制御により図８に示すような伝送経路を形成することができる。
なお、図７のクロスコネクトシステムにおいては、ｋ列のスイッチ装置１０にインタフェースボード３３を１枚だけ搭載しているが、拡張インタフェースボード１４としてもう１枚のインタフェースボード３３を搭載すれば、接続するスイッチ装置１０の列数（ｋ）を更に増やすこともできる。行数（ｎ）は必要に応じて増やすことができる。
【００３９】
図７，図８に示すようなクロスコネクトシステムをクロスコネクトシステム７１，７２として用いることにより、例えば図９に示すような通信ネットワークを構成することができる。
図９の通信ネットワークにおいては、クロスコネクトシステム７１，７２に備わった１つのスイッチ装置１０（Ｃ）を制御することにより、０系と１系の伝送路を無瞬断で切り替えることができる。
【００４０】
【発明の効果】
本発明のスイッチ装置を用いてクロスコネクトシステムを構成する場合には、必要に応じてスイッチ装置を増設してシステムの構成を柔軟に変更し、扱うポート数を増やすことができる。また、任意のポート間のクロスコネクトを保証することができる。また、システムの稼働中であっても外部ポートの増設や無瞬断切替用のハードウェアを追加することができる。従って、無瞬断切替用のハードウェアやポートを予め用意しておかなくても、最小限のハードウェアを追加するだけで無瞬断切替機能を追加することができる。無瞬断切替用のハードウェアを搭載している場合には、スイッチの切替だけで無瞬断切替機能を追加できる。
【図面の簡単な説明】
【図１】スイッチ装置の構成を示すブロック図である。
【図２】スイッチボードの構成例を示すブロック図である。
【図３】３種類のインタフェースボードの構成例を示すブロック図である。
【図４】無瞬断切替回路の構成例を示すブロック図である。
【図５】実際のスイッチ装置の構成例を示すブロック図である。
【図６】実際のスイッチ装置の構成例を示すブロック図である。
【図７】クロスコネクトシステムの構成例を示すブロック図である。
【図８】クロスコネクトシステムの構成例を示すブロック図である。
【図９】通信ネットワークの構成例を示すブロック図である。
【符号の説明】
１０  スイッチ装置
１１  装置内バックボード
１２  スイッチボード
１３  インタフェースボード
１４  拡張インタフェースボード
２１  クロスポイントスイッチ
２２  スイッチ制御部
３１，３２，３３  インタフェースボード
３５  外部信号変換回路
３６  無瞬断切替回路
３７  装置間信号変換回路
４０  送信部
４１  位相パターン挿入部
４２  信号分岐部
５０  受信部
５１  ＦＩＦＯバッファ
５２  位相パターン検出部
５３  位相差検出部
５４  切替部
６０  システム制御装置
７１，７２  クロスコネクトシステム
Ｃａ，Ｃｂ，Ｃｃ，Ｃｓｗ１，Ｃｓｗ２  コネクタ
Ｃｉｆ，Ｃｉｎｔ，Ｃｅｘｔ  コネクタ
【図１】
2004253957.tif 000003
【図２】
2004253957.tif 000004
【図３】
2004253957.tif 000005
【図４】
2004253957.tif 000006
【図５】
2004253957.tif 000007
【図６】
2004253957.tif 000008
【図７】
2004253957.tif 000009
【図８】
2004253957.tif 000010
【図９】
2004253957.tif 000011